(57)【要約】本発明は、ミスマッチング状態のアイテムの所望の購買および販売をマッチングさせるためのシステムおよび方法である。これらのシステムおよび方法では、アイテムの潜在的バイヤおよび潜在的セラーの要求事項と、他のアイテムの潜在的バイヤおよび潜在的セラーの一連の要求事項とを比較して、トランザクションセットを構築する。このトランザクションセットにより、関与するパーティーが最適なトランザクションまたは一連のトランザクションを行うことが可能となる。本発明を用いて、任意のアイテム（例えば、物品、サービス、金融商品および資産利益（例えば、不動産の所有による利益、個人資産の所有による利益など）の購買および販売をマッチングさせることが可能となる。【特許請求の範囲】
【請求項１】
第１のアイテムの購買または販売と、第２のアイテムおよび第３のアイテムの各販売または各購買とをマッチングさせる方法であって、該第１のアイテム、該第２のアイテムおよび該第３のアイテムはそれぞれ第１の特色および第２の特色を有し、
該第１のアイテムの購買または販売に関する第１の情報と、該第２のアイテムの各販売または各購買に関する第２の情報と、該第３のアイテムの各販売または各購買に関する第３の情報とを受信するステップであって、該第１の情報は、該第１のアイテムを購買または販売すべきかを示し、該第２の情報は、該第２のアイテムをそれぞれ購買または販売すべきかを示し、該第３の情報は、該第３のアイテムをそれぞれ購買または販売すべきかを示し、該第１の情報、該第２の情報および該第３の情報のうち少なくとも１つはそれぞれ、該第１のアイテム、該第２のアイテムおよび該第３のアイテムのうち対応する少なくとも１つの第１の特色および第２の特色を規定する、ステップと、
プロセッサを用いて、該第１のアイテムの第１の特色が該第２のアイテムの第１の特色に実質的に対応し、かつ、該第２のアイテムの第２の特色が該第３のアイテムの第１の特色に実質的に対応することを判定するステップと、
該第１のアイテムの第１の特色が該第２のアイテムの第１の特色に実質的に対応し、かつ、該第２のアイテムの第２の特色が該第３のアイテムの第１の特色に実質的に対応した場合、該第１のアイテム、該第２のアイテムおよび該第３のアイテムを少なくともトランザクションの一部を形成するものとして指定するステップと、
を包含する、方法。
【請求項２】
前記第１のアイテム、前記第２のアイテムおよび前記第３のアイテムはそれぞれ先物相場契約であり、各第１の特色は近位日であり、各第２の特色は遠位日である、請求項１に記載の方法。
【請求項３】
前記第１のアイテム、前記第２のアイテムおよび前記第３のアイテムはそれぞれ引渡し不能の先渡しスプレッドであり、各第１の特色は近位日であり、各第２の特色は遠位日である、請求項１に記載の方法。
【請求項４】
各第１の特色および各第２の特色は日付である、請求項１に記載の方法。
【請求項５】
前記第１のアイテム、前記第２のアイテムおよび前記第３のアイテムは金融商品である、請求項１に記載の方法。
【請求項６】
前記第１のアイテム、前記第２のアイテムおよび前記第３のアイテムはそれぞれ資産利益である、請求項１に記載の方法。
【請求項７】
前記第１の情報、前記第２の情報および前記第３の情報のうち少なくとも１つは少なくとも１つのパラメータを含み、該少なくとも１つのパラメータを用いて少なくとも１つの他のパラメータを判定し、前記第１のアイテム、前記第２のアイテムおよび前記第３のアイテムのうちの１つに少なくとも対応するアイテムについて該第１の特色および該第２の特色を判定する、請求項１に記載の方法。
【請求項８】
前記少なくとも１つのパラメータは日付規約を含み、該少なくとも１つの他のパラメータは日付カウントを含む、請求項７に記載の方法。
【請求項９】
前記第１のアイテム、前記第２のアイテムおよび前記第３のアイテムのうち少なくとも１つは、少なくとも１つの指定パーティーに対する売買が禁止され、前記トランザクションマッチングが該禁止内容に違反した場合、該第１のアイテム、該第２のアイテムおよび該第３のアイテムのうち少なくとも１つは該トランザクションマッチングの一部を形成するものとして指定されない、請求項１に記載の方法。
【請求項１０】
前記第１のアイテム、前記第２のアイテムおよび前記第３のアイテムのうち少なくとも１つは、少なくとも１つの指定パーティーのみを売買相手とする要求事項を有し、前記トランザクションマッチングが該禁止内容に違反した場合、該第１のアイテム、該第２のアイテムおよび該第３のアイテムのうち少なくとも１つは該トランザクションマッチングの一部を形成するものとして指定されない、請求項１に記載の方法。
【請求項１１】
前記第１のアイテム、前記第２のアイテムおよび前記第３のアイテムのうち少なくとも１つは、少なくとも最低量の売買を要求事項とし、前記トランザクションマッチングが該要求事項に違反した場合、該第１のアイテム、該第２のアイテムおよび該第３のアイテムのうち少なくとも１つは該トランザクションマッチングの一部を形成するものとして指定されない、請求項１に記載の方法。
【請求項１２】
前記第１のアイテム、前記第２のアイテムおよび前記第３のアイテムそれぞれの第１の特色および第２の特色は、該第１のアイテム、該第２のアイテムおよび該第３のアイテムと関連付けられた制限範囲を規定し、対応する第１の特色または第２の特色が受容可能なマッチング範囲の下限を下回った場合、該第１のアイテム、該第２のアイテムおよび該第３のアイテムのうち少なくとも１つを前記トランザクションマッチングの一部として指定しないステップをさらに包含する、請求項１に記載の方法。
【請求項１３】
前記第１のアイテム、前記第２のアイテムおよび前記第３のアイテムそれぞれの第１の特色および第２の特色は、該第１のアイテム、該第２のアイテムおよび該第３のアイテムと関連付けられた制限範囲を規定し、対応する第１の特色または第２の特色が受容可能なマッチング範囲の上限を上回った場合、該第１のアイテム、該第２のアイテムおよび該第３のアイテムのうち少なくとも１つを前記トランザクションマッチングの一部として指定しないステップをさらに包含する、請求項１に記載の方法。
【請求項１４】
他のアイテムを含むトランザクションマッチングを生成するステップと、指定された数まで生成されるトランザクションマッチングの数を限定するステップとをさらに包含する、請求項１に記載の方法。
【請求項１５】
前記トランザクションマッチングが該トランザクションマッチングに２回参加した指定パーティーを含む場合、前記第１のアイテム、前記第２のアイテムおよび前記第３のアイテムを該トランザクションマッチングの一部を形成するものとして指定しないステップをさらに包含する、請求項１に記載の方法。
【請求項１６】
前記トランザクションマッチングにおいて指定パーティーが購入しようとしているアイテムの第１の特色が、該指定パーティーによって販売されている別のアイテムの第２の特色に実質的に対応している場合、前記第１のアイテム、前記第２のアイテムおよび前記第３のアイテムを該トランザクションマッチングの一部を形成するものとして指定しないステップをさらに包含する、請求項１に記載の方法。
【請求項１７】
前記トランザクションマッチングにおける正価が指定公差の範囲外にある場合、前記第１のアイテム、前記第２のアイテムおよび前記第３のアイテムを該トランザクションマッチングの一部を形成するものとして指定しないステップをさらに包含する、請求項１に記載の方法。
【請求項１８】
前記第１のアイテム、前記第２のアイテムおよび前記第３のアイテムのうち少なくとも１つの第１の特色および第２の特色を判定してトランザクションマッチングを形成するステップをさらに包含する、請求項１に記載の方法。
【請求項１９】
前記第１のアイテム、前記第２のアイテムおよび前記第３のアイテムのうち少なくとも１つはデフォルト価格を用い、該第１のアイテム、該第２のアイテムおよび該第３のアイテムを前記トランザクションマッチングの少なくとも一部を形成するものとして指定する場合において、該第１のアイテム、該第２のアイテムおよび該第３のアイテムのうち少なくとも１つに該デフォルト価格を適用するステップをさらに包含する、請求項１に記載の方法。
【請求項２０】
第４のアイテムと、前記第１のアイテム、前記第２のアイテムおよび前記第３のアイテムのうち少なくとも１つとから少なくとも一部が形成された第２のトランザクションマッチングを生成し、前記トランザクションマッチングおよび該第２のトランザクションマッチングのうちどの部分が相互に排他関係にあるかを示すステップをさらに包含する、請求項１に記載の方法。
【請求項２１】
前記第２のトランザクションマッチングを取引する場合、取引可能な一連のマッチングから前記トランザクションマッチングを除去するステップをさらに包含する、請求項２０に記載の方法。
【請求項２２】
前記トランザクションマッチングを取引する場合、取引可能な一連のマッチングから前記第２のトランザクションマッチングを除去するステップをさらに包含する、請求項２０に記載の方法。
【請求項２３】
前記第１のアイテムと関連付けられた価格は、前記第２のアイテムおよび前記第３のアイテムの両方と関連付けられた別の価格とマッチングせず、該第１のアイテムと関連付けられた価格に等しいマッチング価格を選択するステップをさらに包含する、請求項１に記載の方法。
【請求項２４】
前記第１のアイテムと関連付けられた価格は、前記第２のアイテムおよび前記第３のアイテムの両方と関連付けられた別の価格とマッチングせず、該第２のアイテムおよび該第３のアイテムの両方と関連付けられた他の価格に等しいマッチング価格を選択するステップをさらに包含する、請求項１に記載の方法。
【請求項２５】
前記第１のアイテムと関連付けられた価格は、前記第２のアイテムおよび前記第３のアイテムの両方と関連付けられた別の価格とマッチングせず、該第１のアイテムと関連付けられた価格と、該第２のアイテムおよび該第３のアイテムと関連付けられた他の価格との間のマッチング価格を選択するステップをさらに包含する、請求項１に記載の方法。
【請求項２６】
前記第１のアイテム、前記第２のアイテムおよび前記第３のアイテムのうち１つの第１の特色および第２の特色は、別のアイテムの第１の特色および第２の特色にマッチングし、他のアイテムと、該第１のアイテム、該第２のアイテムおよび該第３のアイテムの１つとのうち１つを該トランザクションマッチングのから制約されるものとして選択するステップをさらに包含する、請求項１に記載の方法。
【請求項２７】
前記選択ステップは、前記他のアイテムのエントリと、前記第１のアイテム、前記第２のアイテムおよび前記第３のアイテムのうちの１つとの順序に基づいて行われる、請求項２６に記載の方法。
【請求項２８】
前記選択ステップは、前記他のアイテムと、前記第１のアイテム、前記第２のアイテムおよび前記第３のアイテムとのうちの１つとのうちどちらが良好な価格を持っているかに基づいて行われる、請求項２６に記載の方法。
【請求項２９】
第１のアイテムの購買または販売と、第２のアイテムおよび第３のアイテムの各販売または各購買とをマッチングさせるシステムであって、該第１のアイテム、該第２のアイテムおよび該第３のアイテムはそれぞれ第１の特色および第２の特色を有し、
該第１のアイテムの購買または販売に関する第１の情報と、該第２のアイテムの各販売または各購買に関する第２の情報と、該第３のアイテムの各販売または各購買に関する第３の情報とを受信するプロセッサであって、該第１の情報は、該第１のアイテムを購買または販売すべきかを示し、該第２の情報は、該第２のアイテムをそれぞれ購買または販売すべきかを示し、該第３の情報は、該第３のアイテムをそれぞれ購買または販売すべきかを示し、該第１の情報、該第２の情報および該第３の情報のうち少なくとも１つはそれぞれ、該第１のアイテム、該第２のアイテムおよび該第３のアイテムのうち対応する少なくとも１つの第１の特色および第２の特色を規定し、
該第１のアイテムの第１の特色が該第２のアイテムの第１の特色に実質的に対応し、かつ、該第２のアイテムの第２の特色が該第３のアイテムの第１の特色に実質的に対応することを判定し、
該第１のアイテムの第１の特色が該第２のアイテムの第１の特色に実質的に対応し、かつ、該第２のアイテムの第２の特色が該第３のアイテムの第１の特色に実質的に対応した場合、該第１のアイテム、該第２のアイテムおよび該第３のアイテムを少なくともトランザクションの一部を形成するものとして指定する、
プロセッサ、
を備える、システム。
【請求項３０】
第１のアイテムの購買または販売と、第２のアイテムの各販売または各購買とをマッチングさせる方法であって、該第１のアイテムおよび該第２のアイテムはそれぞれ第１の特色および第２の特色を有し、
該第１のアイテムの購買または販売に関する第１の情報と、該第２のアイテムの各販売または各購買に関する第２の情報とを受信するステップであって、該第１の情報は、該第１のアイテムを購買または販売すべきかを示し、該第２の情報は、該第２のアイテムをそれぞれ購買または販売すべきかを示し、該第１の情報および該第２の情報のうち少なくとも１つはそれぞれ、該第１のアイテムおよび該第２のアイテムのうち対応する少なくとも１つの第１の特色および第２の特色を規定し、該第１の情報および該第２の情報のうち少なくとも１つは、少なくとも１つのパラメータを含む、ステップと、
プロセッサを用いて、該少なくとも１つのパラメータ、該第１の特色および該第２の特色を用いて、前記第１のアイテムおよび前記第２のアイテムのうち対応する少なくとも１つについて少なくとも１つの他のパラメータを判定するステップと、
該プロセッサを用いて、該第１のアイテムの第１の特色が該第２のアイテムの第１の特色に実質的に対応することを判定するステップと、
該第１のアイテムの第１の特色が該第２のアイテムの第１の特色に実質的に対応した場合、該第１のアイテムおよび該第２のアイテムを少なくともトランザクションの一部を形成するものとして指定するステップと、
を包含する、方法。
【請求項３１】
前記少なくとも１つのパラメータは日付規約を含み、前記少なくとも１つの他のパラメータは日付カウントを含む、請求項３０に記載の方法。
【請求項３２】
第１のアイテムの購買または販売と、第２のアイテムの各販売または各購買とをマッチングさせる方法であって、該第１のアイテムおよび該第２のアイテムはそれぞれ第１の特色および第２の特色を有し、
該第１のアイテムの購買または販売に関する第１の情報と、該第２のアイテムの各販売または各購買に関する第２の情報とを受信するステップであって、該第１の情報は、該第１のアイテムを購買または販売すべきかを示し、該第２の情報は、該第２のアイテムをそれぞれ購買または販売すべきかを示し、該第１の情報および該第２の情報のうち少なくとも１つはそれぞれ、該第１のアイテムおよび該第２のアイテムのうち対応する少なくとも１つの第１の特色および第２の特色を規定し、該第１のアイテムと関連付けられた価格は、該第２のアイテムと関連付けられた別の価格とマッチングしない、ステップと、
プロセッサを用いて、該第１の価格、該第２の価格、または該第１の価格と該第２の価格との間の価格のうちの１つに等しいマッチング価格を選択するステップと、
該プロセッサを用いて、該第１のアイテムの第１の特色が該第２のアイテムの第１の特色に実質的に対応することを判定するステップと、
該第１のアイテムの第１の特色が該第２のアイテムの第１の特色に実質的に対応した場合、該第１のアイテムおよび該第２のアイテムを少なくともトランザクションの一部を形成するものとして指定するステップと、
を包含する、方法。
【請求項３３】
第１のアイテムの購買または販売と、第２のアイテムの各販売または各購買とをマッチングさせる方法であって、該第１のアイテムおよび該第２のアイテムはそれぞれ第１の特色および第２の特色を有し、
該第１のアイテムの購買または販売に関する第１の情報と、該第２のアイテムの各販売または各購買に関する第２の情報とを受信するステップであって、該第１の情報は、該第１のアイテムを購買または販売すべきかを示し、該第２の情報は、該第２のアイテムをそれぞれ購買または販売すべきかを示す、ステップと、
プロセッサを用いて、該第１のアイテムおよび該第２のアイテムのうち少なくとも１つの第１の特色および第２の特色を判定するステップと、
該プロセッサを用いて、該第１のアイテムの第１の特色が該第２のアイテムの第１の特色に実質的に対応することを判定するステップと、
該第１のアイテムの第１の特色が該第２のアイテムの第１の特色に実質的に対応した場合、該第１のアイテムおよび該第２のアイテムを少なくともトランザクションの一部を形成するものとして指定するステップと、
を包含する、方法。
【発明の詳細な説明】
【０００１】
（発明の背景）
本発明は、商品、サービス、金融証書および不動産権利（ｐｒｏｐｅｒｔｙ　ｉｎｔｅｒｅｓｔｓ）などのマッチングしないアイテムに対する、所望される購買と販売とをマッチングさせるシステムおよび方法である。
【０００２】
自由市場では一般的に見られ得ない特定の特色を有するアイテムを購買または販売することが望まれる場合が多々ある。このようなアイテムの例は、金融証書、例えば、受け渡し不可先渡しスプレッド（Ｎｏｎ−Ｄｅｌｉｖｅｒａｂｌｅ　Ｆｏｒｗａｒｄ　Ｓｐｒｅａｄｓ）（ＮＤＦＳ）、金利先渡し契約（ＦＲＡ）、およびトレジャリー／エージェンシーボンドスワップ（Ｔｒｅａｓｕｒｙ／Ａｇｅｎｃｙ　Ｂｏｎｄ　Ｓｗａｐｓ）である。トレジャリー／エージェンシーボンドスワップは、例えば、休暇中の不動産および飛行機の時間分割権を含む。ＮＤＦＳは、１つの通貨を近位日（ｎｅａｒ　ｄａｔｅ）に購入し、そして遠位日（ｆａｒ　ｄａｔｅ）の所定の先渡し日に別の通貨を販売する契約である。この契約は、契約価格とこの満期日に適用可能な基準価格（または指数）との差によって規定される差額の現金決済を米国ドルで行うことによって満期日に満了する。ＦＲＡは、将来の特定の近位日から特定の遠位日までの所定の時間期間、通貨を借用または貸付する協定である。
【０００３】
より具体的な例として、金利先渡し契約の場合に、第１のパーティーは、近位日が１０月１３日で遠位日が１０月２７日、適切な通貨単位で５百万の通貨額、および総数１１２の価格（すなわち、１．１２％）を有し得、リスク相殺協定を取り交わすことによってこの協定に関連付けられたリスクを最小限にすることを所望し得る。第２のパーティーは、近位日が１０月１３日で遠位日が１０月１５日、適切な通貨単位で５百万の通貨額を有し、総数１６の価格でＦＲＡを購買することを所望し得る。第３のパーティーは、近位日が１０月１５日で遠位日が１０月２７日、適切な通貨単位で５百万の通貨額を有し、総数９６の価格でＦＲＡを購買することを所望し得る。このシナリオで、所望の取引が完了され得るように各パーティーの売買要件をマッチングさせることが可能であることが望ましい。
【０００４】
同様に、休暇中の不動産の時間分割権の場合を考える。第１のパーティーは、７月１日から７月１５日まで不動産を所有する権利を有し得、そして１ブロックとしてこの不動産の権利を販売することを所望し得る。第２のパーティーは、７月１日から７月７日までの期間のみ、この不動産の権利を購買することを所望し得る。第３のパーティーは、７月８日から７月１５日までの期間のみ、この不動産の権利を購買することを所望し得る。このようなシナリオにおいて、第２のパーティーも第３のパーティーも、７月１日から７月１５日までの全期間、この不動産の権利を購買することを所望しない場合があり得る。７月１日から７月１５日までの期間は、それぞれが所望する期間よりも長いからである。さらに、このシナリオにおいて、第１のパーティーは、残りの時間のこの不動産の権利が売れ残る場合があるため、第２のパーティー、第３のパーティーのいずれにも、この不動産の権利を販売することを最初は所望しない場合がある。したがって、各パーティーの希望がマッチングしないため、どのパーティーもこの不動産の取引を完了し得ない。
【０００５】
アイテム譲渡の際のマッチングの難しさを示すために用いた上述の例はかなり単純であることは明らかであり、より複雑なシナリオが当業者によって考慮され得る。より複雑なシナリオとは、例えば、１２個のマッチングしないものの購買があり、これをＦＲＡで販売することが所望されているという仮定である。これよりも複雑なシナリオにおいて、以下に記載する本発明の原理は等しく適用可能である。
【０００６】
上述の観点から、本発明の１目的は、マッチングしないアイテムの所望の購買と販売とをマッチングさせるシステムおよび方法を提供することである。
【０００７】
（発明の要旨）
本発明の原理による、マッチングしないアイテムの所望の購買と販売とをマッチングさせるシステムおよび方法を提供する。これらのシステムおよび方法は、アイテムの潜在的な買い手および売り手の要件と、アイテムの潜在的な他の買い手および売り手の組の要件とを比較して、トランザクションの組を構築して、最適なトランザクションまたは上記パーティーが関与する組のトランザクションを可能にする。本発明は用いられて、商品、サービス、金融証書および不動産権利（例えば、不動産権利の所有権、個人財産の所有権利など）の任意のアイテムの購買と販売とをマッチングさせ得る。
【０００８】
本発明の１実施形態において、潜在的な買い手または売り手はまず、上記パーティーが購買または販売することを所望するアイテムを識別するように求められる。この識別は上記アイテムを一意的に識別し、そして上記アイテムの特色およびパラメータを記載し得る情報を含み得る。例えば、ＮＤＦＳを用いる場合、上記パーティーはＮＤＦＳが所与の近位日の特色、所与の遠位日の特色、および特定の市場規約パラメータを有することを識別し得る。上記市場規約は、固定日、決済日、平均日数、または任意の適切な日数カウント規約であり得る。上記パーティーはさらに、上記価格パラメータ（例えば、日ごとの価格、総入札／申し込み、または利回り曲線に基づいたパラメータ）、量パラメータ、および上記パーティーが購買または販売のいずれを意図するかを示し得る。
【０００９】
次に、上記パーティーは顧客の選好を示し得る。これらの選好は、例えば、上記顧客が商取引を行いたくない対抗パーティー、上記顧客が商取引を行う唯一の対抗パーティー、上記顧客が、マッチングが生成されることを所望する方法の最大数、上記価格のマッチングの許容範囲、上記パーティーに報告されたマッチングを、上記パーティーへの最高価格利益マッチング、最高額マッチング、最短時間ギャップ、または任意の他の適切な選好に制限するかなどである。
【００１０】
次いで、入力された情報から、上記システムおよび方法は上記アイテムの修正された特色を生成し得る。上述の例において、これは、上記ＮＤＦＳに関連付けられた日（例えば、リクエストされた市場規約の有効営業日の日）を含み得る。このデータおよび任意の他の必要なデータが生成された後、上記システムおよび方法は上記マッチングプロセスを実行し得る。上記マッチングプロセスにおいて、特色および修正された特色（例えば、購買日および販売日）はグループごとに（例えば、日位置に基づいて、および上記日が購買日または販売日であるかに基づいて）分類され、次いでソートされ得る。さらに、上記特色は他の特色に変換されて、マッチングが促進され得る。例えば、ＮＤＦＳ間で異なる日規約を用いてマッチングを促進させるには、本発明は上記購買日および上記販売日を標準規約における日またはマッチングの前の別の規約における日に変換し得る。次いで、アイテムの特色（例えば、購買日）は、他のアイテムの対応する、または実質的に対応する特色（例えば、販売日）とマッチングされて、トランザクションのマッチングの潜在的な組み合わせのリストが確立されて、所望のトランザクションを達成する。最後に、上記マッチングは手動または自動でトランザクションが行われ得、これらのトランザクションは完了した際に確認され得る。
【００１１】
（好適な実施形態の詳細な説明）
本発明のさらなる特徴、特性および種々の利点は、好適な実施形態の以下の詳細な説明を、添付の図面と共に読むときより明らかとなる。図面中、同様の参照符号は同様の部分を示す。
【００１２】
ここで、本発明を、図１〜図２２に示す好適な実施形態と共により詳細に説明する。
【００１３】
図１〜図１８に戻って、本発明の特定の実施形態に提示され得る画面表示の例を示す。図１は「ＦＲＡ交換取引の取り決めの入力」のウィンドウ１００を示す。このウィンドウにおいて、パーティーは、パーティーが購買または販売することを所望するＦＲＡ交換取引に関する情報を入力し得る。理解され得るように、この情報は、識別子１０２、顧客名１０４、パーティーが購買または販売のどれを所望するか１０６、１つ以上の近位日１０８、１つ以上の遠位日１１０、通貨１１２、量１１４、価格規約１１６、価格が日ごとのポイントに基づくかまたは総ポイントに基づくか１１８、デフォルト価格１２０を用いるか、デフォルト価格が用いられない場合の購買価格および販売価格１２２、マッチング用のＦＲＡ状態１２４（すなわち、ＦＲＡがマッチングに利用可能であるか（活動中）、マッチングにもはや利用可能でないか（待ち状態）、またはマッチングシステムから排除されたか（削除））、および任意のコメント１２６を含み得る。さらに、ウィンドウ１００内において、パーティーはボタン１２８を用いてウィンドウ１００をリセットまたはクリアし、マッチングシステム内に入力された交換取引のＦＲＡ交換取引識別子のリストを提示し、表示された交換取引を新しい交換取引として挿入し、入力された交換取引をウィンドウ１００内での変更によって修正し、表示された交換取引を削除し、あるいは別のアプリケーションまたはファイルから交換取引情報をインポートし得る。特定の交換取引の交換取引情報を得るには、パーティーは検索フィールド１３０中に交換取引の識別子を入力することによって交換取引を検索し得る。検索後、交換取引の情報はウィンドウ１００内に表示される。
【００１４】
また、パーティーは、マッチングプロセスの制限を入力し、マッチングがいかに生成および表示されるかを修正するフィルタおよび設定を入力し、マッチングプロセスを開始し、システム内に入力された交換取引を見て、そして図１にも示される「ＦＲＡ交換取引リスト生成」ウィンドウ１３２を用いて交換取引マッチングレポートを生成し得る。例えば、制限は、マッチング日１３４の範囲、マッチングが形成される方法数１３６の制限、および同じパーティーがマッチングに２度参加することを可能にする（はい）か、同じパーティーがマッチングに２度参加することを禁止する（いいえ）か、または同じパーティーがマッチング（ｍｏｄ）１３８にマッチングした購買日および販売日を有することを禁止することに関する制限が含まれ得る。フィルタはマッチング価格１４０の許容範囲、マッチングトランザクションごとの最低額が必要であるか１４２、特定の対抗パーティーを排除するか１４４、特定の対抗パーティーのみを含むか１４６、特定の他の規則が適用されるか１４８（例えば、マッチングが最高額とトランザクションを行う（最高額規則）ことに基づいてマッチングをランク付けするか）、どのマッチングが最大数の顧客を含むか（最大フィル規則）、どのマッチングが最良の価格マッチングを提供するか（最小スプレッド規則）、どのマッチングが最も高い手数料を提供するか、そして１つ以上のマッチングが行われることを可能にするように作成され得、またはそうでない場合には存在しない利益を提供するマッチングを形成するように作成され得るＦＲＡを探すことによって、潜在的なマッチング１５０を解決するかを含む。交換取引のデフォルトの購買価格および販売価格は、入力１２０によるデフォルト価格付けを用いて指定され、この入力１２０はフィールド１５２内にオペレータによって入力され得る。マッチングはボタン１５４を押すことによって開始され得る。図５に表示されるような交換取引のリストおよび対応する交換取引情報は、ボタン１５６を押すことによって表示され得る。最後に、図６に示すような交換取引マッチングのレポートは、ボタン１５８を押すことによって生成され得る。これらのウィンドウの別の説明を図３に示す。
【００１５】
図１に示さないが、本発明は、１つ以上の交換取引を含む任意の提案されたマッチングの実行が、１つ以上の他の交換取引を含む提案されたマッチングと同時、前、または後のどれを条件として行われるかを、パーティーが指定することも可能にし得る。例えば、パーティーは、パーティーがマッチングすることを所望する１組の１０個の交換取引のうちの少なくとも５個が実際にマッチングしている場合のみ、マッチングを実行するとする。このような場合、マッチングを実行するオプションを与えられた場合、本発明のユーザは、このような交換取引を含むマッチングのいずれかが実行される前に、ユーザが必要な交換取引すべてを含むマッチングを実行することを所望することを示す必要があり得る。
【００１６】
さらに、特定の組のマッチング制限、フィルタおよび設定を示すが、本発明は、任意の適切な追加または別の制限、フィルタ、および／または設定を用いて実行され得る。
【００１７】
図４は、本発明の１実施形態に入力された交換取引の表示の部分図を示す。理解され得るように、図３のウィンドウ１００に入力されたＦＲＡ交換取引情報のサマリー４００を示す。さらに、表示されているのは、適切な休暇などが与えられた各価格規約用の日数カウント４０２の表示、日数カウント４０２を得た後の総価格４０４、および交換取引の価格１２２（図３）である。
【００１８】
図２に示すように、「ＦＲＡ顧客情報入力」ウィンドウ２００を示す。このウィンドウに入力された情報は、顧客識別子２０２、顧客の氏名２０４、顧客の省略された名前２０６、トランザクションごとの最低通貨額２０８、排除された対抗パーティー２１０および２１２のリスト、顧客の状態２１４（動作中または停止中）、顧客の連絡先２１６、顧客の電話番号２１８、および任意のコメント２２０を含み得る。ボタン２２２を用いて、パーティーはウィンドウ２００に表示された情報をリセットまたはクリアし、ウィンドウ２００内に新しい顧客としての情報を入力し、既存の顧客をウィンドウ２００内に表示された情報で修正し、表示された情報に対応する顧客を削除し、または顧客識別子のリストを見ることができる。顧客情報を取り出すには、パーティーは、顧客識別子をフィールド２０２に入力して、「検索」のハイパーテキスト２２４を押し得る。図１のディスプレイに戻ると、パーティーは「交換取引マッチングに行く」のハイパーテキスト２２６を押し得る。
【００１９】
図５は、図４に示した本発明の実施形態に入力された交換取引の表示のより完全な図５００を示す。図示するように、４つの交換取引５０２、５０４、５０６および５０８が入力される。「マッチング」のハイパーテキスト５１０を押すことによって、パーティーはシステム内の４つの交換取引のマッチングを開始し得る。パーティーはさらに、列５１８内の交換取引を選択し、そして「削除」のハイパーテキスト５１２を押すことによって１つ以上の交換取引を削除もし得る。パーティーは、いずれかの列に表示された文字に基づいて、対応する列ヘッドのハイパーテキスト５１６を押すことによってリストをソートし得る。複数の文字列によるソートを含み得る高度なソートは、「高度なソート」のハイパーテキスト５１４を押すことによって行い得る。
【００２０】
図５に表示される矢印５２０によって示されるように、マッチングが交換取引５０２、５０４および５０６に実行される場合、これらの交換取引はトランザクションマッチングを形成する。この点は図６により明瞭に示される。図示するように、これらの交換取引は、フィールド６０２、６０４、６０６および６０８内に示されるようなマッチング「Ｍ０１」を形成する。列６１０は、２つの買値６１２および６１４を組み合わせた買値が売値６１６とマッチングするため、マッチング「Ｍ０１」の交換取引がネットプライスの差額が０であることを示す。さらに、図６に示されるように、交換取引６１８がマッチングシステムに入力された任意の他の交換取引とマッチングされ得ない点である。図６は、マッチングのトランザクションが行われた後、本発明が部分６２０に示すようにトランザクションを確認し得る点をさらに示す。
【００２１】
図７は、図５に示すリストより大きい、マッチングされるＦＲＡ交換取引のリストを示す。ここで、矢印７０４によって示される交換取引、すなわち、交換取引７０６、７０８および７１０はマッチングされた組を形成する。図８により容易に理解され得るように、これらの交換取引は、その近位日および遠位日に対応し、そしてマッチング「Ｍ０１」を形成する。フィールド８０２内に示されるように、このマッチングは逆転市場を示す。なぜならば、売り手（交換取引ｉｄ．０００２３５）は売り手（交換取引ｉｄ．０００５３３および０００５５０）が求めている総額（１４４）よりも多い額（１６０）を支払おうとしているからである。このような逆転市場がある場合、本発明は買い手に利益を提供し（すなわち、買い手に１４４の価格を提供し）たり、売り手に利益を提供し（すなわち、売り手に１６０の全価格を提供し）たり、または差額を買い手と売り手との間で任意の適切な方法を用いて割り得る（すなわち、差額を均等に割って１５２にする）。あるいは、本発明は差額の値を用いて、別の交換取引がマッチングに追加されることを可能にし得る（例えば、１つ以上の交換取引の近位日および遠位日を延長することによって、他の交換取引がマッチングに参加することを可能にし得る）。
【００２２】
上述の例から明らかであるように、本発明は、好適には、マッチングを形成するために、交換取引の総買値および総売値がマッチングすることを必要としない。しかし、本発明は、価格マッチング、または任意の他のアイテムの特徴のマッチングが必要とされるように、実現され得る。
【００２３】
図９は、新規ＦＲＡスイッチエントリのパラメータが価格を除いて図８に示すスイッチｉｄ．０００２３５中のパラメータと同じである様子を示す。この場合、本発明では、これらのスイッチをマッチングシステム中の他のスイッチとマッチングさせようとする際、どのＦＲＡスイッチに優先順位をとらせるかを決定することが可能である。図１０のポーション１００２に示すように、本発明では、スイッチｉｄ．０００２３５を選択することが可能である。これが可能な理由としては、スイッチの購入価格の方が高い（すなわち、バイヤが自発的により多額の金銭を支払う）ためである。図１０のポーション１００４に示すように、本発明では、マッチングしたトランザクションすべてを単にリスト化して、ユーザに所望のマッチングを選択させることも可能である。さらに別の可能性として、本発明では、エントリ順序に基づいてスイッチを選択するステップを選好情報に基づいて行ってもよい。
【００２４】
図１１は、本発明によって解析することが可能なさらに別のマッチングリストを示す。図１２に示すように、様々なトランザクションマッチング１２０２、１２０４、１２０６、１２０８および１２１０（Ｍ０１〜Ｍ０５）をこのリストから構築することが可能である。図１２の縦列１２１２には他のマッチング結果も図示しており、それぞれのマッチング結果に対応する横列に表示されている各特定のスイッチが用いられるため、これらのマッチング結果は互いに排他的な関係にある。
【００２５】
図１３を参照して、図示の近位日および遠位日の対を備えるスイッチそれぞれについて、スイッチ１３０８、１３１０および１３１２それぞれについて、ＦＲＡスイッチの「固定日（ｆｉｘｉｎｇ　ｄａｙ）」または日付カウントの数を、３、２および１として計算することがわかる（縦列「ＤＣ」１３０２を見ると、各スイッチは「Ｆ」タイプの日付規約であり、縦列「Ｓ／Ｆ／Ｂ／Ａ」１３０４を見ると、各日付カウントは「Ｆ」について３、２および１であることがわかる）。これらのＦＲＡスイッチにおいて、価格は、１日あたり８ポイントのポイントに基づくため、価格総額はそれぞれ縦列１３０６に示すように２４ポイント、１６ポイントおよび８ポイントとして計算される。同様に、図１４において、「ＤＣ」縦列１４０２に示す日付規約において決済日が用いられているため、スイッチ１４０８、１４１０および１４１２それぞれについて６、４および２日の決済日（ｓｅｔｔｌｅｍｅｎｔ　ｄａｙ）が、縦列１４０４に示すように適用可能な日として決定されている。決済日と決済日あたり８ポイントで設定された価格の数値に基づいて、スイッチの価格を、縦列１４０６に示すようにそれぞれ４８ポイント、３２ポイントおよび１６ポイントとする。マッチングに関する日付規約は図１３および図１４に示すように統一することもできるが、日付規約は混合フォーマットで入力することも可能であり、本発明では対応する価格を計算し、図１５に示すようなマッチングを形成する。
【００２６】
図１６を参照して、デフォルト価格エントリ選択を備えるスイッチが図示されている。より詳細には、図１６のボックス１２０中をチェックすることにより、デフォルトシステム価格を用いているものとしてスイッチを指定する。このスイッチに対してマッチングを行う際、本発明では好適には、フィールド１５２に入力されたデフォルト購入価格および売却価格から適切な価格（この実施例では購入価格）を検索する。このようにして、多くのスイッチがすべてデフォルト価格を用いている場合に当該スイッチを本発明にしたがってマッチングシステムに入力し、マッチング時に市場価格を（各スイッチの価格を手作業で調節する必要なく）容易に提出することが可能である。図１７の縦列１７０２に示すように、表示されているスイッチが複数である場合、各スイッチがデフォルト価格を用いているかどうかを示すことが可能である。この場合、各価格の隣にアスタリスクを付して、このようなアスタリスクが付いた価格を、デフォルト価格を用いて計算する。
【００２７】
パーティーは、本発明によって生成された様々なトランザクションマッチングを見た後、マッチングｉｄ（すなわち、図１５に示すハイパーテキスト１５０２）をクリックすることによりトランザクションマッチングを取引することを選択することができる。あるいは、本発明を用いれば、適格と考えられる（ｑｕａｌｉｆｙｉｎｇ）マッチングを（パーティーによる介入を要することなく）自動取引することも可能である。マッチングが取引された後、任意の適切なメカニズム（例えば、Ｅメール）を用いてトランザクションに関与する顧客に通知を行うことができる。また、マッチングが取引された後、本発明では、表示１８００（例えば、図１８に示す表示）を提示することも可能である。図示のように、マッチング（スイッチ１８０２および１８０４）中のマッチングしたスイッチと、トランザクション日付と、時間１８０６とを表示することが可能である。トランザクションに関連するメモを文書化するためのフィールド１８０８を用いることも可能である。「マッチングしない（ＵＮＭＡＴＣＨ）」ハイパーテキスト１８１０を選択することによりトランザクションを逆転させる機会をパーティーにさらに与えることが可能である。
【００２８】
上記の例からわかるように、特定の種類のアイテム（例えば、ＮＤＦＳおよびＦＲＡ）の場合、本発明では、アイテムと関連付けられたレッグを「分解（ｂｒｅａｋ　ｕｐ）」した後、これらのレッグを任意の様式でマッチングさせることが可能である。例えば、ＦＲＡにおける条件によって要求されるパーティーの債務が、通貨を近位日に引き渡す（ｄｅｌｉｖｅｒ）と、遠位日に通貨を受領する権利が与えられるという内容であり、かつ、当該パーティーが欲しているのは当該ＦＲＡ下の債務（ｏｂｌｉｇａｔｉｏｎ）および受給権（ｅｎｔｉｔｌｅｍｅｎｔ）を売却することである場合、本発明では、通貨を引き渡すという債務を、通貨を受領するという受給権から分離させることが可能である。このような場合、債務レッグの場合、本発明では、相手パーティーとなる可能性のあるパーティーが通貨を引き渡すという債務を欲する場合、別のアイテム中の対応するレッグを探すだけですみ、受給権レッグの場合、相手パーティーとなる可能性のあるパーティーまたは他の任意のパーティーが通貨を受領するという受給権を欲する場合、本発明では、もう一方のアイテムまたはさらに別のアイテム中の対応するレッグを探すだけですむ。
【００２９】
図１〜１８に示す機能を行う際に用いることが可能なプロセス１９００の一実施形態を図１９に示す。図からわかるように、ステップ１９０２においてプロセス１９００が開始すると、本プロセスでは、ステップ１９０４においてメインメニューを表示する。このメインメニューは、スイッチ入力のオプション、顧客情報入力のオプションおよびマッチングプロセス開始のオプションを含み得る。プロセス１９００では、ステップ１９０６において、これらのオプションのうちいずれが選択されているか否かを判定し、これらのオプションのうちいずれが選択されている場合、プロセス１９００はその結果に応じて分岐する。スイッチ入力のオプションが選択された場合、プロセスはステップ１９０８に分岐して、ステップ１９０８において、スイッチエントリプロンプトおよびマッチング設定プロンプトを表示することが可能となる。図１は、プロセス１９００におけるこの時点において表示することが可能な画面の一例を示す。次に、プロセス１９００では、ステップ１９１０において入力を受け取る。これらの入力は、ステップ１９０８において以前表示されたプロンプトのうち任意のプロンプトに対する応答を含み得る。ステップ１９１２において、この本プロセスでは、マッチングが選択されているか否かを判定し、マッチングが選択されている場合、プロセス１９００はステップ１９２４に分岐して、マッチングプロセスを行う。しかし、マッチングが選択されていない場合、プロセス１９００では、ステップ１９１４において選択することが可能な他の任意の機能を行う。これらの他の機能を挙げると、特定のスイッチの発見、プロンプトの再設定またはクリア、入力されたスイッチのリスト化、新規スイッチの挿入、入力されたスイッチの変更、入力されたスイッチの削除、スイッチのインポート、入力されたスイッチのビューイング、またはスイッチおよび／またはマッチングのレポートの生成がある。任意の機能が行われた可能性がある場合、プロセス１９００では、ステップ１９１６においてメインメニューに戻るかそれともスイッチエントリおよびマッチング設定の受信を継続するかを決定する。ステップ１９１６においてメインメニューを表示すべきと決定された場合、プロセス１９００は再度ステップ１９０４に分岐する。ステップ１９１６においてメインメニューを表示すべきと決定されなかった場合、プロセス１９００はステップ１９０８に分岐する。
【００３０】
顧客情報入力のオプションがステップ１９０６において選択されたことが判定された場合、プロセス１９００はステップ１９１８に分岐して、顧客情報入力プロンプト（例えば図２に示す顧客情報入力プロンプト）を表示することができる。次いで、プロセス１９００では、ステップ１９１９において、ステップ１９１８において表示されたプロンプトに応答して入力を受信する。これらの入力を受信した後、これらのプロンプトに応答して選択された任意の機能をステップ１９２０において行うことが可能となる。このような機能を挙げると、ステップ１９１８において表示されたプロンプトの再設定またはクリア、新規顧客情報の挿入、既存の顧客情報、既存の顧客情報の削除、入力された顧客情報の一部のリストのビューイング、および特定の顧客のまたは一連の顧客の情報の発見がある。この機能を行った後、プロセス１９００では、ステップ１９２２においてメインメニューに戻るか否かを決定する。ステップ１９２２においてメインメニューを表示すべきと決定された場合、プロセス１９００はステップ１９０４に再度分岐する。ステップ１９２２においてメインメニューを表示すべきと決定されなかった場合、プロセス１９００はステップ１９１８に分岐する。
【００３１】
最後に、ステップ１９０６において、マッチングプロセスを開始するオプションが選択されたとの結果になった場合、プロセス１９００はステップ１９２４に分岐する。ステップ１９２４において、図１〜１８と関連して上記にて説明したようにマッチングプロセスを行うことが可能である。アイテムのマッチングおよびアイテムの提案を行ってマッチングを完成させるプロセス（すなわち、求解）の実施例を図２０に示す。マッチングプロセスが完了した後、ステップ１９２６において（図６、８、１０および１２〜１５に示すように）マッチング結果を表示することが可能である。マッチング結果を表示した後、プロセス１９００では、ステップ１９２８においてトランザクションマッチングのうち１つ以上を実行することができる。上記にて述べたように、実行は手作業で行ってもよいし、あるいは自動的に開始してもよい。マッチングを実行した後、プロセス１９００では、ステップ１９３０において、図１８に示すようにトランザクションを確認することができる。この確認ステップは、マッチングプロセスを実行しているパーティーおよび／またはトランザクションに対する顧客に通知をするステップを含み得る。最後に、トランザクションを確認した後、プロセス１９００はステップ１９０４においてメインメニューに折り返す。
【００３２】
図２０を参照して、アイテムのマッチングおよび提案を行ってマッチングを完成させる（すなわち、求解）プロセス２０００を示す。図示のように、ステップ２００２において、特定の特色およびパラメータを有するアイテムをマッチングプロセスに入力する。当該アイテムが上述したようなスイッチである場合、これらのスイッチを図１に示すように入力することができ、その特色は近位日および遠位日であり得、パラメータは、当該スイッチに関する購入／売却意思であり得る。次いで、ステップ２００４において、特色およびパラメータ別に索引付けされたテーブルにアイテムを入力する。このようなテーブルは、ＳＱＬデータベースとしてインプリメントすることが可能である。次いで、ステップ２００６およびステップ２００８において、１つ以上の他のテーブルにおいてアイテムを同様の（ｌｉｋｅ）アイテム別にグループ分けする。同様のアイテムを挙げると、相互交換が可能なアイテムがある。例えば、上記にて示したようなスイッチの場合、同様のアイテムは、対応する通貨用のスイッチを含み得る。これらのステップは好適には、後続のマッチングプロセスを高速にするために行われる。
【００３３】
ステップ２００４およびステップ２００６を処理することによって生成することが可能なテーブル２１００の一例を図２１に示す。図からわかるように、テーブル２１００は、８つのスイッチ２１０１〜２１０８に関する特色情報およびパラメータ情報を含む。スイッチ２１０１〜２１０８それぞれについて、購入／売却意思パラメータ（「購入」または「売却」）、近位日特色（「Ｎ」）および遠位日特色（「Ｆ」）を表示する。図示のように、日付は１〜１０でナンバリングされている。この日付指定の選択は例示目的のために示したものに過ぎず、本発明に従って任意の適切な日付指定方式をインプリメントすることが可能である。提案されたスイッチ２１１０も図示されており、このスイッチ２１１０は、テーブル２１００に示すスイッチのうちの１つのマッチングを完了する際に用いることが可能である。
【００３４】
再度図２０を参照して、次いで、プロセス２０００では、ステップ２０１０において、各テーブル中のアイテムをサーチして、マッチング特色および逆方向の（ｏｐｐｏｓｉｔｅ）利益を兼ね備えるアイテムを発見する。図２１に示すスイッチ２１０１〜２１０８の場合、スイッチをサーチして、マッチング日付指定および逆方向の購入／売却意思を兼ね備えたスイッチを探し出すステップを伴う。より詳細には、例えば、スイッチ２１０１とスイッチ２１０３とがマッチングする理由は、両者が対応する日付特色および逆方向の購入／売却意思を持つからであり得る。マッチングが最初に開始すると、第１のアイテムが選択される。その後、この第１のアイテムを、マッチング特色および逆方向の利益を備える後続の複数のアイテムと比較する。例えば、スイッチ２１０１と、スイッチ２１０３および２１０８とを比較するが、これは、これらのスイッチの近位日がマッチングし、かつ、これらのスイッチの購入／売却意思が逆方向であるからである。比較を行った後、本マッチングプロセスでは、近密にマッチングする可能性のある他のアイテムを探す。例えば、本プロセスでは、スイッチ２１０１および２１０８を用いて１つ以上のスイッチを探し出して、各スイッチの遠位日をクローズする（ｃｌｏｓｅ）。
【００３５】
プロセス２０００では、ステップ２００４、ステップ２００６、ステップ２００８およびステップ２０１０を行う際、これらのステップのうち任意のステップにおいて処理されるアイテムの限界を適用して、処理を所望のレベルで保持することができる。図１の限界１３４、限界１３６および限界１３８とともに示すように、このような限界を挙げると、マッチング日付の範囲、マッチング生成方法の限界数および同一顧客のマッチングの可否がある。例えば、ステップ２００４を行う際、プロセス２０００では、特定の範囲のマッチング日付内のスイッチのみを初期テーブルに入れる場合がある。あるいは、プロセス２０００では、その特定の範囲のマッチング日付を後続ステップに適用する場合もある。
【００３６】
次いで、プロセス２０００では、ステップ２０１２において、各提案されたマッチングについてマッチングをクローズするか否かを決定する。各提案されたマッチングについてマッチングをクローズする場合、ステップ２０１４において、索引付けされたマッチングテーブルを当該マッチング用に生成する。その後、このマッチングテーブルを図６に示すようにビューイング対象としてまたはマッチングトランザクションを実行するための処理対象として利用可能にすることが可能となる。
【００３７】
しかし、ステップ２０１２の決定結果がマッチングをクローズしないという結果であった場合、プロセス２０００はステップ２０１６へと進んで、可能なマッチングに関する解決法を探す。プロセス２０００のこの部分は、本発明の「求解器」機能の一実施形態を実施する。図示のように、ステップ２０１６において、プロセス２０００では、「開放されている（ｏｐｅｎ）」特色テーブル中に、開放されているマッチング対象アイテムを入れる。次いで、本プロセスでは、ステップ２０１８において、１つ以上のアイテムを提案してマッチングをクローズする。これらのアイテムの特色は、以前はマッチングした特色が１つしかなかったマッチングにおいて他のアイテムも買う。次いで、プロセス２０００では、ステップ２０２０において、提案されたアイテムの１つ以上の属性のうち所望のマッチングをするものを決定する。所望のマッチングを得るためには、これらの属性は、別の提案されたマッチングまたはステップ２０１４においてマッチングテーブルに格納されたクローズされたマッチングよりも少なくとも１つの事項についてより良好なマッチングを示すべきである。最後に、プロセス２０００では、ステップ２０２２において、１つ以上の提案されたマッチングをユーザに提示し、その後、ユーザは、対応するアイテムのうち１つを生成するか否かを決定して、開放されているマッチングをクローズすることができる。提案されたマッチングはそれぞれ、当該マッチングを別のマッチング（例えば、手数料が高いかまたは低いマッチング）と異ならせる特質（ｑｕａｌｉｔｙ）を有するものとして示すことができる。
【００３８】
マッチングプロセスの「求解」部分の処理の一例を図２１に示す。スイッチ２１０６〜２１０８を参照して、スイッチ２１０６および２１０８の近位日がマッチングし、スイッチ２１０７および２１０８の遠位日がマッチングすることがわかる。しかし、スイッチ２１０６の遠位日およびスイッチ２１０７の近位日は開放されている。プロセス２０００では、マッチングを完了するために、スイッチ２１１０の生成を提案して、スイッチ２１０６の遠位日にマッチングする近位日と、スイッチ２１０７の近位日にマッチングする遠位日とともに売却することができる。このようにして、提案されたスイッチ２１１０を用いてマッチングを完了することができる。
【００３９】
本発明では、マッチングをクローズする際に用いることが可能なスイッチを提案する代わりにまたはマッチングをクローズする際に用いることが可能なスイッチを提案することに加えて、マッチングをクローズするステップをできるだけ行う際に用いることができる最も利用可能な既存のスイッチを決定することが可能である。例えば、本発明では、既存のスイッチのうち、開放されている遠位日にマッチングする近位日と、開放されている近位日から１日だけ離れている遠位日とを有するスイッチを発見することができる。
【００４０】
本発明では、マッチングが形成されると、マッチング結果にフィルタを適用することができる。図１に関連して説明したように、これらのフィルタが含み得るのは、マッチング価格の公差と、マッチングトランザクションあたりの最低量と、特定の相手パーティーの排除と、特定の相手パーティーのみの包含と、最大量を取引するマッチングに基づいたマッチングのランキングと、最大数の顧客を伴うマッチングに基づいたマッチングのランキングと、最高価格マッチングが得られるマッチングのランキングと、最大手数料もしくは最小手数料または値上げもしくは値下げが得られるマッチングに基づいたマッチングのランキングとを要求する。
【００４１】
当業者には明らかなように、本発明は、広範囲な様々なコンピュータシステムおよびネットワーク上でインプリメントすることが可能である。一実施形態において、本発明は、単一のコンピュータまたはプロセッサ上でインプリメントすることが可能であり、その場合、データ入力、処理、および表示のすべての作業を単一のコンピュータまたはプロセッサ上で行う。他の実施形態において、本発明は、１つ以上のコンピュータネットワークを介して通信する２つ以上のコンピュータ上でインプリメントすることが可能である。これらのネットワークは、ローカルエリアネットワーク、広域ネットワーク、インターネット、または他の任意の適切なネットワークであり得る。このような実施形態において、ネットワーク上のサーバまたはプロセッサによって処理を行い、ネットワークに接続されかつサーバまたはプロセッサと通信状態にあるコンピュータおよび／またはブラウザにより、データ入力および表示を行うことが可能である。
【００４２】
本発明をインプリメントするシステム２２００の一例を図２２に示す。図示のように、システム２２００は、通信リンク２２０４によってインターネット２２０６に接続されたサーバ２２０２および／または通信リンク２２１２によってイントラネット２２１４に接続されたサーバ２２０２を含み得る。システム２２００がインターネット２２０６とともにインプリメントされた場合、１つ以上のウェブブラウザ２２０８をインターネットおよび通信リンク２２１０を介してサーバ２２０４に結合させてもよい。システム２２００がイントラネット２２１４とともにインプリメントされた場合、１つ以上のウェブブラウザ２２１６をイントラネットおよび通信リンク２２１８を介してサーバ２２０４に結合させてもよい。
【００４３】
システム２２００において、サーバ２２０２は、任意の適切なサーバ、プロセッサ、コンピュータもしくはデータ処理デバイス、またはこれらの組み合わせであり得る。インターネット２２０６およびイントラネット２２１４は、任意の適切なコンピュータネットワークであり得、任意の適切なコンピュータネットワーク機器を含み得る。ウェブブラウザ２２０８および２２１６は、任意の適切なウェブブラウザまたは表示端末であり得、汎用コンピュータ上で実行されるソフトウェアとして、専用ハードウェアとして、または任意の適切な様式でインプリメント可能である。最後に、通信リンク２２０４、２２１０、２２１２および２２１８は、インターネット２２０４、イントラネット２２１４ならびに／またはウェブブラウザ２２０８および２２１６にサーバ２２０２を結合させる任意の適切なメカニズムであり得る。これらのメカニズムを挙げると、ダイヤルアップ接続、専用接続、ケーブルモデム、デジタル加入者線、Ｔ１接続、Ｔ３接続などがある。
【００４４】
上記の記載は本発明の原理を例示したものに過ぎず、当業者であれば、他にも様々な改変例を（本発明の範囲および趣旨から逸脱することなく）作成することが可能であることが理解される。本発明の範囲および趣旨は、本明細書中の特許請求の範囲のみによって限定される。
【図面の簡単な説明】
【図１】
図１は、本発明の特定の実施形態によって生成され得る交換取引の入力表示およびマッチング設定表示を示す。
【図２】
図２は、本発明の１実施形態によって生成され得る顧客情報入力表示を示す。
【図３】
図３は、本発明の特定の実施形態によって生成され得る交換取引の入力表示およびマッチング設定表示を示す。
【図４】
図４は、本発明の特定の実施形態によって生成され得る交換取引リスト表示を示す。
【図５】
図５は、本発明の特定の実施形態によって生成され得る交換取引リスト表示を示す。
【図６】
図６は、本発明の特定の実施形態によって生成され得るマッチングリスト表示を示す。
【図７】
図７は、本発明の特定の実施形態によって生成され得る交換取引リスト表示を示す。
【図８】
図８は、本発明の特定の実施形態によって生成され得るマッチングリスト表示を示す。
【図９】
図９は、本発明の特定の実施形態によって生成され得る交換取引の入力表示およびマッチング設定表示を示す。
【図１０】
図１０は、本発明の特定の実施形態によって生成され得るマッチングリスト表示を示す。
【図１１】
図１１は、本発明の特定の実施形態によって生成され得る交換取引リスト表示を示す。
【図１２】
図１２は、本発明の特定の実施形態によって生成され得るマッチングリスト表示を示す。
【図１３】
図１３は、本発明の特定の実施形態によって生成され得るマッチングリスト表示を示す。
【図１４】
図１４は、本発明の特定の実施形態によって生成され得るマッチングリスト表示を示す。
【図１５】
図１５は、本発明の特定の実施形態によって生成され得るマッチングリスト表示を示す。
【図１６】
図１６は、本発明の特定の実施形態によって生成され得る交換取引の入力表示およびマッチング設定表示を示す。
【図１７】
図１７は、本発明の特定の実施形態によって生成され得る交換取引リスト表示を示す。
【図１８】
図１８は、本発明の１実施形態による、マッチングトランザクション確認表示を示す。
【図１９】
図１９は、本発明の特定の実施形態による、図１〜図１８に示す機能を実行するために用いられ得るプロセスのフロー図である。
【図２０】
図２０は、本発明の１実施形態による、アイテムに完全なマッチング（すなわち、求解機（ｓｏｌｖｅｒ））を提供するマッチングのプロセスのフロー図である。
【図２１】
図２１は、本発明の１実施形態による、マッチングプロセスに用いられ得るデータ構造を示す表である。
【図２２】
図２２は、本発明の特定の実施形態による、図１〜図２１に示すプロセスおよび機能を実行するために用いられ得るシステムのブロック図である。
【図１】
2004508606.tif 000002
【図２】
2004508606.tif 000003
【図３】
2004508606.tif 000004
【図４】
2004508606.tif 000005
【図５】
2004508606.tif 000006
【図６】
2004508606.tif 000007
【図７】
2004508606.tif 000008
【図８】
2004508606.tif 000009
【図９】
2004508606.tif 000010
【図１０】
2004508606.tif 000011
【図１１】
2004508606.tif 000012
【図１２】
2004508606.tif 000013
【図１３】
2004508606.tif 000014
【図１４】
2004508606.tif 000015
【図１５】
2004508606.tif 000016
【図１６】
2004508606.tif 000017
【図１７】
2004508606.tif 000018
【図１８】
2004508606.tif 000019
【図１９】
2004508606.tif 000020
【図２０】
2004508606.tif 000021
【図２１】
2004508606.tif 000022
【図２２】
2004508606.tif 000023
【国際公開パンフレット】
2004508606.tif 000024
2004508606.tif 000025
2004508606.tif 000026
2004508606.tif 000027
2004508606.tif 000028
2004508606.tif 000029
2004508606.tif 000030
2004508606.tif 000031
2004508606.tif 000032
2004508606.tif 000033
2004508606.tif 000034
2004508606.tif 000035
2004508606.tif 000036
2004508606.tif 000037
2004508606.tif 000038
2004508606.tif 000039
2004508606.tif 000040
2004508606.tif 000041
2004508606.tif 000042
2004508606.tif 000043
2004508606.tif 000044
2004508606.tif 000045
2004508606.tif 000046
2004508606.tif 000047
2004508606.tif 000048
2004508606.tif 000049
2004508606.tif 000050
2004508606.tif 000051
2004508606.tif 000052
2004508606.tif 000053
2004508606.tif 000054
2004508606.tif 000055
2004508606.tif 000056
2004508606.tif 000057
2004508606.tif 000058
2004508606.tif 000059
2004508606.tif 000060
2004508606.tif 000061
2004508606.tif 000062
2004508606.tif 000063
2004508606.tif 000064
2004508606.tif 000065
2004508606.tif 000066
2004508606.tif 000067
2004508606.tif 000068
2004508606.tif 000069
2004508606.tif 000070
2004508606.tif 000071
2004508606.tif 000072
2004508606.tif 000073
2004508606.tif 000074
2004508606.tif 000075
2004508606.tif 000076
2004508606.tif 000077
2004508606.tif 000078
2004508606.tif 000079
【国際公開パンフレット（コレクトバージョン）】
2004508606.tif 000080
2004508606.tif 000081
2004508606.tif 000082
【国際公開パンフレット（コレクトバージョン）】
2004508606.tif 000083
2004508606.tif 000084
2004508606.tif 000085
2004508606.tif 000086
2004508606.tif 000087
2004508606.tif 000088
2004508606.tif 000089
2004508606.tif 000090
2004508606.tif 000091
2004508606.tif 000092
2004508606.tif 000093
2004508606.tif 000094
2004508606.tif 000095
2004508606.tif 000096
2004508606.tif 000097
2004508606.tif 000098
2004508606.tif 000099
2004508606.tif 000100
2004508606.tif 000101
2004508606.tif 000102
2004508606.tif 000103
2004508606.tif 000104
2004508606.tif 000105
2004508606.tif 000106
2004508606.tif 000107
2004508606.tif 000108
2004508606.tif 000109
2004508606.tif 000110
2004508606.tif 000111
2004508606.tif 000112
2004508606.tif 000113
2004508606.tif 000114
2004508606.tif 000115
2004508606.tif 000116
2004508606.tif 000117
2004508606.tif 000118
2004508606.tif 000119
2004508606.tif 000120
2004508606.tif 000121
2004508606.tif 000122
2004508606.tif 000123
2004508606.tif 000124
2004508606.tif 000125
2004508606.tif 000126
2004508606.tif 000127
2004508606.tif 000128
2004508606.tif 000129
2004508606.tif 000130
2004508606.tif 000131
2004508606.tif 000132
2004508606.tif 000133
2004508606.tif 000134
2004508606.tif 000135
2004508606.tif 000136
2004508606.tif 000137
2004508606.tif 000138
2004508606.tif 000139
2004508606.tif 000140